(57)【要約】【課題】止水性を向上させることができる建具を提供する。【解決手段】建具１００は、ガラス保持溝４０が設けられた枠体１と、端部がガラス保持溝４０に配置されたガラスパネル２と、ガラスパネル２を保持する押縁５と、を備え、枠体１は、少なくとも一部が金属で構成された枠部材３０Ａを有し、押縁５は、枠部材３０Ａの金属の部分に当接する金属押縁５０Ａと、金属押縁５０Ａに連結され、金属押縁５０Ａよりも屋内側に配置された樹脂押縁５０Ｂと、を有することを特徴とする。【選択図】図３
2017150195.tif 000002
【特許請求の範囲】
【請求項１】
ガラス保持溝が設けられた枠体と、
端部が前記ガラス保持溝に配置されたガラスパネルと、
前記ガラスパネルを保持する押縁と、を備え、
前記枠体は、
少なくとも一部が金属で構成された枠部材を有し、
前記押縁は、
前記枠部材の前記金属の部分に当接する金属押縁を有することを特徴とする建具。
【請求項２】
前記押縁は、
前記金属押縁に連結され、該金属押縁よりも屋内側に配置された樹脂押縁を有する請求項１に記載の建具。
【請求項３】
前記樹脂押縁は、前記金属押縁の前記屋内側から見付け方向の内側を覆うように配置されている請求項２に記載の建具。
【請求項４】
前記枠部材は、前記ガラスパネルの屋内側に見付け方向に沿って配置される屋内側枠部を有し、
前記金属押縁は、前記屋内側枠部に連結され、前記見付け方向に沿って配置される屋内側保持部を有する請求項１から３のいずれか一項に記載の建具。
【請求項５】
前記枠部材は、金属で構成されるとともに前記ガラス保持溝が設けられ、
前記枠体は、
該枠部材に連結され、該枠部材よりも屋内側に配置された樹脂枠材と、を有する請求項１から４のいずれか一項に記載の建具。
【発明の詳細な説明】
【技術分野】
【０００１】
本発明は、構造物の開口部に設けられる建具に関するものである。
【背景技術】
【０００２】
従来から、構造物の開口部に設けられる建具として、屋外側に配置される金属枠と屋内側に配置される樹脂枠とで構成された枠体内に、ガラス等のパネル体が納められた複合サッシが知られている。
【０００３】
例えば、下記の特許文献１に記載のサッシでは、パネル体は、屋外側の面を金属枠で保持されるとともに、屋内側の面を樹脂製の押縁部材で保持されている。枠体の一部及び押縁部材が樹脂製であるため、断熱性の高い構成とされている。
【先行技術文献】
【特許文献】
【０００４】
【特許文献１】特開２０１２−３１５８９号公報
【発明の概要】
【発明が解決しようとする課題】
【０００５】
ところで、上記の特許文献１に記載されたサッシでは、パネル体を保持する押縁部材及び押縁部材が取り付けられる枠体が樹脂製であるため、押縁部材と枠体との接合部分における止水性が不十分である。特にビル等の中高層建築物では、屋内外で圧力差が生じるため、水を屋内側に引き込む可能性があり、高い止水性が望まれている。
【０００６】
そこで、本発明は、上記事情に鑑みてなされたものであり、止水性を向上させることができる建具を提供する。
【課題を解決するための手段】
【０００７】
上記目的を達成するために、本発明は以下の手段を採用している。
すなわち、本発明に係る建具は、ガラス保持溝が設けられた枠体と、端部が前記ガラス保持溝に配置されたガラスパネルと、前記ガラスパネルを保持する押縁と、を備え、前記枠体は、少なくとも一部が金属で構成された枠部材を有し、前記押縁は、前記枠部材の前記金属の部分に当接する金属押縁を有することを特徴とする。
【０００８】
このように構成された建具では、ガラスパネルは金属押縁に保持されている。金属押縁は、枠体の少なくとも一部が金属で構成された枠部材の当該金属の部分に当接している。よって、金属押縁と枠体との連結部分は金属部材同士が連結される構成であるため、当該連結部分から雨水等の浸入することが抑制され、止水性を向上させることができる。
【０００９】
また、本発明に係る建具では、前記押縁は、前記金属押縁に連結され、該金属押縁よりも屋内側に配置された樹脂押縁を有することが好ましい。
【００１０】
このように構成された建具では、押縁は金属押縁に連結され、金属押縁よりも屋内側に配置された樹脂押縁を有する。よって、樹脂製の樹脂押縁により、断熱性を確保することができる。
【００１１】
また、本発明に係る建具では、前記樹脂押縁は、前記金属押縁の前記屋内側から見付け方向の内側を覆うように配置されていてもよい。
【００１２】
このように構成された建具では、樹脂押縁は金属押縁の屋内側から見付け方向の内側を覆うように配置されている。よって、金属押縁の屋内側への露出が抑制されるため、断熱性を高めることができる。
【００１３】
また、本発明に係る建具では、前記枠部材は、前記ガラスパネルの屋内側に見付け方向に沿って配置される屋内側枠部を有し、前記金属押縁は、前記屋内側枠部に連結され、前記見付け方向に沿って配置される屋内側保持部を有していてもよい。
【００１４】
このように構成された建具では、枠部材の屋内側枠部は、ガラスパネルの屋内側に見付け方向に沿って配置されている。金属押縁の屋内側保持部は、屋内側枠部に連結され見付け方向に沿って配置されている。つまり、ガラスパネルの屋内側に沿って配置された屋内側枠部及び屋内側枠部に連結され見付け方向に沿って配置された屋内側保持部に沿って、雨水等が屋内側に浸入することが抑制される止水ラインが構成される。よって、ガラスパネルよりも屋内側に雨水が浸入することが確実に抑制される。
【００１５】
また、本発明に係る建具では、前記枠部材は、金属で構成されるとともに前記ガラス保持溝が設けられ、前記枠体は、該枠部材に連結され、該枠部材よりも屋内側に配置された樹脂枠材と、を有していてもよい。
【００１６】
このように構成された建具では、枠体は、金属で構成された枠部材に連結され、枠部材よりも屋内側に配置された樹脂枠材を有している。よって、樹脂製の樹脂枠材により、断熱性を確保することができる。
【発明の効果】
【００１７】
本発明に係る建具によれば、止水性を向上させることができる。
【図面の簡単な説明】
【００１８】
【図１】本発明の一実施形態に係るＦＩＸ窓を屋内側から見た斜視図である。
【図２】図１をＡ−Ａで切断した縦断面図である。
【図３】図２をＢ−Ｂで切断した水平断面図である。
【図４】本発明の一実施形態に係るＦＩＸ窓の下端部を屋内側から見た斜視図である。
【図５】本発明の一実施形態に係るＦＩＸ窓の下端部を屋内側から示しており、押縁を取り外した分解斜視図である。
【図６】本発明の一実施形態に係るＦＩＸ窓の押縁の斜視図である。
【図７】図６のＣ部拡大図である。
【図８】図６をＤ−Ｄで切断した縦断面図である。
【図９】図６をＥ−Ｅで切断した縦断面図である。
【発明を実施するための形態】
【００１９】
以下、本発明の一実施形態による建築物の開口部に設けられる建具の一例として、ＦＩＸ窓（嵌め殺し窓）を図１から図９に基づいて説明する。
図１は、本発明の一実施形態に係るＦＩＸ窓を屋内側から見た斜視図である。
図１に示すように、ＦＩＸ窓（建具）１００は、開口部Ｗに設けられ、四角形枠状に形成された枠体１と、枠体１内に嵌め込まれた例えばペアガラス等の複層ガラス（ガラスパネル）２と、枠体１の左右にそれぞれ設けられ複層ガラス２を保持する押縁５と、を備えている。
なお、以下の説明において、複層ガラス２の上下方向及び上下方向と交差して複層ガラス２に沿う方向を見付け方向と称する。見付け方向のうち複層ガラス２の中心に向かう方向を見付け方向の内側とし、反対方向を見付け方向の外側と称する。また、複層ガラス２の厚み方向を見込み方向と称する。
【００２０】
枠体１は、水平方向に延在する上枠１０及び下枠２０と、上枠１０の両端部と下枠２０の両端部とをそれぞれ連結し上下方向に延在する縦枠３０と、を有している。
【００２１】
図２は、図１をＡ−Ａで切断した縦断面図である。
図２に示すように、上枠１０は、屋外側に設けられ金属製の金属上枠１０Ａと、屋内側に設けられ樹脂製の樹脂上枠１０Ｂと、を有している。金属上枠１０Ａと樹脂上枠１０Ｂとは連結されている。
【００２２】
下枠２０は、屋外側に設けられ金属製の金属下枠２０Ａと、屋内側に設けられ樹脂製の樹脂下枠２０Ｂと、を有している。金属下枠２０Ａと樹脂下枠２０Ｂとは連結されている。
【００２３】
樹脂下枠２０Ｂは、水平面に沿って形成された水平面部２０１、を有している。水平面部２０１には、上下方向に貫通する第一結露水排水孔２０１Ｈが設けられている。第一結露水排水孔２０１Ｈには、上キャップ６０が設けられている。
【００２４】
また、水平面部２０１には、上下方向に貫通する取付孔２０１Ｊ（図５参照）が設けられている。取付孔２０１Ｊは、押縁５（図５参照。以下同じ。）を取り付けるためのものであり、平面視において押縁５の直下に設けられている。
【００２５】
さらに、樹脂下枠２０Ｂは、水平面部２０１の屋外側から上下方向に交差するように設けられた立設された鉛直面部２０２と、鉛直面部２０２の上下両端部から、それぞれ屋外側に延びる係合壁部２０３，２０４と、を有している。係合壁部２０３，２０４は、金属下枠２０Ａに係合されている。
【００２６】
さらに、樹脂下枠２０Ｂは、水平面部２０１の屋内側から上下方向に交差するように設けられた立設された鉛直面部２０６と、鉛直面部２０６の上端部から、屋内側に延びる下アングル壁部２０７と、を有している。
【００２７】
樹脂下枠２０Ｂは、水平面部２０１の下面から下方に延びる支持壁部２０５を有している。支持壁部２０５は、見込み方向に離間して一対設けられている。
【００２８】
金属下枠２０Ａは、樹脂下枠２０Ｂの支持壁部２０５を支持する上段部１１０を有している。上段部１１０には、上下方向に貫通する第二結露水排水孔１１０Ｊが設けられている。第二結露水排水孔１１０Ｊには、下部弁７０が設けられている。
【００２９】
下部弁７０は、上段部１１０の上方に配置され筒状に形成された上筒状体７１と、第二結露水排水孔１１０Ｊに配置され筒状に形成された下筒状体７５と、下筒状体７５内に配置さ逆止弁機能を有する弁本体８０と、を有している。
【００３０】
樹脂下枠２０Ｂの水平面部２０１上に溜まった結露水は、上キャップ６０と樹脂下枠２０Ｂの水平面部２０１との間に形成された空間部６１Ｓから落下して、下部弁７０の内部を通過して、屋外に排出可能とされている。
【００３１】
万が一、金属下枠２０Ａ上（樹脂下枠２０Ｂの下方）に結露水が溜まった場合には、結露水は、下部弁７０の上筒状体７１と金属下枠２０Ａの上段部１１０との間に形成された隙間７１Ｓから、上筒状体７１の下部の外周面と下筒状体７５の内周面との間、及び下筒状体７５の内周面と弁本体８０の上面との間に形成された空間部から、下部弁７０の下方に落下して、屋外に排出可能とされている。
【００３２】
図３は、図２をＢ−Ｂで切断した水平断面図である。
図３に示すように、縦枠３０は、屋外側に設けられ金属製の金属縦枠（枠部材）３０Ａと、屋内側に設けられ樹脂製の樹脂縦枠（樹脂枠材）３０Ｂと、を有している。金属縦枠３０Ａと樹脂縦枠３０Ｂとは連結されている。
【００３３】
図４は、ＦＩＸ窓１００の下端部を屋内側から見た斜視図である。図５は、ＦＩＸ窓１００の下端部を屋内側から示しており、押縁５を取り外した分解斜視図である。図４において、複層ガラス２の記載を省略している。
図３、図４及び図５に示すように、縦枠３０には、押縁５が設けられている。押縁５は、複層ガラス２の屋内側を保持し金属製の金属押縁５０Ａと、金属押縁５０Ａの屋内側に設けられ樹脂製の樹脂押縁５０Ｂと、金属押縁５０Ａ及び樹脂押縁５０Ｂの下端部に嵌め込まれる端部キャップ５０Ｃと、を有している。金属押縁５０Ａと樹脂押縁５０Ｂとは、連結され一体として構成されている。
【００３４】
次に、縦枠３０と押縁５との連結構成について詳細に説明する。
まず、縦枠３０の構成について説明する。
図３に示すように、金属縦枠３０Ａは、図示しない壁部に固定される固定面部３１０を有している。
【００３５】
固定面部３１０は、見込み方向に沿って配置され、上下方向に延びている。固定面部３１０の内面には、樹脂縦枠３０Ｂと係合する係合爪部３１１が設けられている。
【００３６】
さらに、金属縦枠３０Ａは、固定面部３１０の屋外側の端部から該固定面部３１０と直交して延びる屋外側面部３２０と、固定面部３１０の屋内側の端部から該固定面部３１０と直交して延びる屋内側面部３３０と、固定面部３１０の見込み方向の中間部から該固定面部３１０と直交して延びる中間面部（屋内側枠部）３４０と、を有している。
【００３７】
屋外側面部３２０には、屋内側に向かって突出する一対の支持片３２１，３２２が設けられている。
【００３８】
屋内側面部３３０の見付け方向の内側の端部には、樹脂縦枠３０Ｂと係合する係合爪部３３１が設けられている。
【００３９】
中間面部３４０の見付け方向の内側の端部には、屋外側に向かって突出する係合爪部３４１が設けられている。また、中間面部３４０には、屋外側に向かって突出する係合突起３４２が設けられている。係合爪部３４１及び係合突起３４２は、金属押縁５０Ａと係合されている。
【００４０】
樹脂縦枠３０Ｂは、屋内側に配置される屋内側面部３５０と、屋内側面部３５０よりも屋外側に配置される屋外側面部３６０と、屋内側面部３５０と屋外側面部３６０との間に配置される中間面部３７０と、を有している。
【００４１】
屋内側面部３５０と中間面部３７０と屋外側面部３６０とは、連結壁部３８１で連結されている。また、屋外側面部３６０と中間面部３７０とは、連結壁部３８１よりも見付け方向の内側に配置された連結壁部３８２で連結されている。
【００４２】
さらに、樹脂縦枠３０Ｂは、屋内側面部３５０の見付け方向の内側の端部と中間面部３７０の見付け方向の内側の端部とを連結する縦アングル壁部３８３を有している。縦アングル壁部３８３は、屋内側面部３５０よりも屋内側にまで延びている。
【００４３】
連結壁部３８１には、見付け方向の外側に向かって延びる係合爪部３９１が設けられている。係合爪部３９１は、金属縦枠３０Ａの係合爪部３３１に係合されている。
【００４４】
屋外側面部３６０の見付け方向の外側の端部には、金属縦枠３０Ａの固定面部３１０に沿いつつ屋外側に向かって延びる係合壁部３９２が設けられている。係合壁部３９２の端部は、金属縦枠３０Ａの係合爪部３１１に係合されている。
【００４５】
上記のように、金属縦枠３０Ａと樹脂縦枠３０Ｂとは連結されつつ、樹脂縦枠３０Ｂの縦アングル壁部３８３の下端部は樹脂下枠２０Ｂの下アングル壁部２０７に支持されている。
【００４６】
次に、押縁５の構成について説明する。
図６は、押縁５の斜視図である。
図３、図５及び図６に示すように、金属押縁５０Ａは、金属縦枠３０Ａの中間面部３４０と同一平面上に配置される基部（屋内側保持部）５１０を有している。基部５１０の見付け方向の外側の端部は、中間面部３４０と当接している。
【００４７】
基部５１０の見付け方向の外側の端部には、屋外側に向かって延びる突起部５１１が設けられている。突起部５１１の先端部には、見付け方向の外側に向かうにしたがって次第に屋外側に向かう係合片部５１２が設けられている。
【００４８】
突起部５１１の端部は、金属縦枠３０Ａの係合爪部３４１係合されている。係合片部５１２の先端部は、金属縦枠３０Ａの係合突起３４２と係合されている。このようにして、金属押縁５０Ａは金属縦枠３０Ａに連結されている。
【００４９】
基部５１０の見付け方向の外側の端部には、屋内側に向かって延びる係合片部５１３が設けられている。係合片部５１３の端部には、見付け方向の内側に向かって折曲された折曲片部５１４が設けられている。係合片部５１３及び折曲片部５１４は、樹脂押縁５０Ｂと係合されている。
【００５０】
基部５１０の見付け方向の内側の端部には、屋外側に向かって突出する突出片５２１が設けられている。突出片５２１の端部には、見付け方向に沿って延びる支持壁部５２２が設けられている。
【００５１】
基部５１０には、突起部５１１と突出片５２１との間に、屋外側に向かって突出片５２３が設けられている。
【００５２】
基部５１０の見付け方向の内側の端部には、屋内側に向かって延びる係合片部５１５が設けられている。係合片部５１５の端部には、見付け方向の外側に向かって折曲された折曲片部５１６が設けられている。折曲片部５１６は、樹脂押縁５０Ｂと係合されている。
【００５３】
樹脂押縁５０Ｂは、見込み方向に沿って配置された内側面部５６０と、内側面部５６０よりも見付け方向の外側に配置された外側面部５７０と、を有している。
【００５４】
内側面部５６０の屋内側の端部と外側面部５７０の屋内側の端部とは、連結壁部５８１で連結されている。また、内側面部５６０の見込み方向の中間部分と外側面部５７０の見込み方向の中間部分とは、連結壁部５８２で連結されている。内側面部５６０の屋外側の端部近傍と外側面部５７０の屋外側の端部近傍とは、連結壁部５８３で連結されている。
【００５５】
連結壁部５８１の見付け方向の外側の端部５０Ｙは、樹脂縦枠３０Ｂの縦アングル壁部３８３の屋外側の端部３０Ｙに係合されている。
【００５６】
内側面部５６０の屋外側の端部５０Ｚは、連結壁部５８３よりも屋外側にまで延びている。外側面部５７０の屋外側の端部には、見付け方向の外側に向かって延びる係合爪部５７１が設けられている。係合爪部５７１は、金属押縁５０Ａの係合片部５１３及び折曲片部５１４に係合されている。
【００５７】
連結壁部５８３には、屋外側に向かって延びる係合片部５８４が設けられている。係合片部５８４の端部には、見付け方向の内側に向かって折曲された折曲片部５８５が設けられている。折曲片部５８５は、金属押縁５０Ａの折曲片部５１６と係合されている。
【００５８】
図７は、図６のＣ部拡大図である。図８は、図６をＤ−Ｄで切断した縦断面図である。
図７及び図８に示すように、押縁５の上端部では、金属押縁５０Ａの係合片部５１３、折曲片部５１４、係合片部５１５及び折曲片部５１６は、切り欠かれて設けられていない。
【００５９】
樹脂押縁５０Ｂの係合爪部５７１は、上部Ｔ１において、切り欠かれて設けられていない。金属押縁５０Ａの係合片部５１３及び折曲片部５１４は、上部Ｔ１において、基端部５０Ｔを中心として折り込まれている。つまり、係合片部５１３及び折曲片部５１４は、上部Ｔ１よりも上側の係合爪部５７１と上部Ｔ１よりも下側の係合爪部５７１との間に挟み込まれている。
【００６０】
金属押縁５０Ａには、上部Ｔ１の上端部Ｔ２及び下端部Ｔ２に沿って、予め切込み（不図示）が設けられている。金属押縁５０Ａの係合片部５１３と折曲片部５１４との間に樹脂押縁５０Ｂの係合爪部５７１が挿入されるとともに、金属押縁５０Ａの係合片部５１５と折曲片部５１６との間に樹脂押縁５０Ｂの折曲片部５８５が挿入される。このように金属押縁５０Ａと樹脂押縁５０Ｂとが組み付けられた後に、上端部Ｔ２及び下端部Ｔ２の切込みに沿って金属押縁５０Ａの係合片部５１３及び折曲片部５１４が折り込まれて、金属押縁５０Ａと樹脂押縁５０Ｂとは一体とは連結されている。
【００６１】
このように、樹脂押縁５０Ｂは、金属押縁５０Ａの屋内側から見付け方向の内側を覆うように配置されている。これにより、金属押縁５０Ａは屋内側に露出することはない。
【００６２】
図９は、図６をＥ−Ｅで切断した縦断面図である。
端部キャップ５０Ｃは、樹脂で構成されている。図５、図６及び図９に示すように、端部キャップ５０Ｃは、樹脂下枠２０Ｂの水平面部２０１に載置される下段部６０１と、樹脂下枠２０Ｂの下アングル壁部２０７に載置される上段部６０２と、樹脂下枠２０Ｂの係合壁部２０３に載置される上段部６０３と、を有している。
【００６３】
下段部６０１と上段部６０２とは、連結壁部６０４で連結されている。下段部６０１と上段部６０３とは、連結壁部６０５で連結されている。
【００６４】
下段部６０１の下面には、下方に向かって突出する係合爪部６２１が設けられている。係合爪部６２１は、見込み方向に離間して一対設けられている。各係合爪部６２１は、樹脂下枠２０Ｂの水平面部２０１の取付孔２０１Ｊに係合されている。これにより、端部キャップ５０Ｃは、樹脂下枠２０Ｂに固定されている。
【００６５】
端部キャップ５０Ｃは、上段部６０２、連結壁部６０４、下段部６０１、連結壁部６０５及び上段部６０３の見付け方向の内側の端部から連続して立設され、樹脂押縁５０Ｂの内側面部５６０の外面に沿って配置される立設壁部６０６を有している。
【００６６】
端部キャップ５０Ｃは、上段部６０２の屋内側の端部から立設され、樹脂押縁５０Ｂの連結壁部５８１の外面に沿って配置される立設壁部６０７を有している。
【００６７】
下段部６０１の上面には、上方に向かって立設され、樹脂押縁５０Ｂの外側面部５７０の外面に沿って配置された係合壁部６０８が設けられている。係合壁部６０８には、見付け方向の内側に向かって突出する突起６０９が設けられている。突起６０９は、樹脂押縁５０Ｂの外側面部５７０の下端部５０Ｐに当接している。これにより、樹脂押縁５０Ｂは、下方への移動が規制されている。
【００６８】
下段部６０１の上面には、立設壁部６０６と係合壁部６０８との間に、上方に向かって立設された支持体６１１が設けられている。支持体６１１には、見付け方向の外側に向かって突出する突起６１２が設けられている。樹脂押縁５０Ｂの外側面部５７０は、突起６１２と係合壁部６０８とに挟み込まれている。
【００６９】
図５に示すように、樹脂下枠２０Ｂの係合壁部２０３の見付け方向の外側の端部には、上下方向に形成された貫通孔２０３Ｈが形成されている。貫通孔２０３Ｈには、金属押縁５０Ａの下端部５０Ｘが挿入されている。
【００７０】
図９に示すように、外側面部５７０には、板厚方向（見付け方向）に貫通する貫通孔５７０Ｈが形成されている。図５及び図９に示すように、端部キャップ５０Ｃは、係合壁部６０８の突起６０９が貫通孔５７０Ｈに配置された状態で、金属押縁５０Ａ及び樹脂押縁５０Ｂと一体とされ、金属押縁５０Ａ及び樹脂押縁５０Ｂが金属縦枠３０Ａ及び樹脂縦枠３０Ｂに係合される。その後、端部キャップ５０Ｃを下方にスライドさせる。この際に、樹脂押縁５０Ｂ及び端部キャップ５０Ｃは弾性変形し、突起６０９は、樹脂押縁５０Ｂの外側面部５７０に沿って下方に移動する。端部キャップ５０Ｃの下段部６０１、上段部６０２，６０３がそれぞれ、樹脂下枠２０Ｂの水平面部２０１、下アングル壁部２０７及び係合壁部２０３に当接した位置で、端部キャップ５０Ｃの移動は規制され位置決めされる。
【００７１】
上記のＦＩＸ窓１００において、図２及び図３に示すように、金属上枠１０Ａ、金属下枠２０Ａ及び金属縦枠３０Ａには、複層ガラス２の端部から離間するように凹む断面視コ字状のガラス受け部（ガラス保持溝）４０がそれぞれに設けられている。複層ガラス２の内外側面とガラス受け部４０の両側部との間には、面クリアランス（空間部）４０Ｓが設けられている。
【００７２】
面クリアランス４０Ｓには、スポンジ等の弾性材４１及びシーリング材４２が設けられている。シーリング材４２は不定形または定形形状であり、例えばシリコーン、変成シリコーン、ウレタン、ブチル等を採用できる。
【００７３】
押縁５が縦枠３０から取り外された状態で、ガラス受け部４０に複層ガラス２が嵌め込まれる。その後、縦枠３０に押縁５が取り付けられ、弾性材４１及びシーリング材４２が設けられる。金属上枠１０Ａ、金属下枠２０Ａ及び金属縦枠３０Ａのガラス受け部４０が弾性材４１及びシーリング材４２を支持するとともに、樹脂上枠１０Ｂ、樹脂下枠２０Ｂ及び樹脂押縁５０Ｂの屋外側の端部１０Ｚ，２０Ｚ，５０Ｚ及び金属押縁５０Ａの支持壁部５２２は、シーリング材４２を支持している。
【００７４】
図２に示す破線Ｐで示す線に沿って、外気の屋内側への通気を阻止及び雨水の屋内側への浸入を阻止する止水ラインが構成されている。下部弁７０の逆止弁機能を有する弁本体８０は止水ラインに配置されており、雨水が屋内側へ逆流することが防止される。
【００７５】
図３に示す破線Ｑで示す線に沿って、外気の屋内側への通気を阻止及び雨水の屋内側への浸入を阻止する止水ラインが構成されている。金属縦枠３０Ａの中間面部３４０に連続して金属押縁５０Ａの基部５１０が設けられるとともに、複層ガラス２の屋内側の面に沿って金属押縁５０Ａが配置されることで、雨水が屋内側へ逆流することが防止される。
【００７６】
このように構成されたＦＩＸ窓１００では、複層ガラス２の屋内側は金属押縁５０Ａに保持されて、金属押縁５０Ａは金属縦枠３０Ａに連結されている。つまり、複層ガラス２を保持する金属押縁５０Ａは金属製であり、当該金属押縁５０Ａは金属製の金属縦枠３０Ａに連結されている。よって、金属押縁５０Ａと金属縦枠３０Ａとの連結部分は金属部材同士が連結される構成であるため、当該連結部分から雨水等の浸入することが抑制され、止水性を向上させることができる。
【００７７】
また、金属縦枠３０Ａの中間面部３４０は複層ガラス２の屋内側に見付け方向に沿って配置されている。金属押縁５０Ａの基部５１０は中間面部３４０に連結され見付け方向に沿って配置されている。つまり、複層ガラス２の屋内側に沿って配置された中間面部３４０及び中間面部３４０に連結され見付け方向に沿って配置された基部５１０に沿って、雨水等が屋内側に浸入することが抑制される止水ラインＱが構成される。よって、複層ガラス２よりも屋内側に雨水が浸入することが確実に抑制される。
【００７８】
また、縦枠３０は金属縦枠３０Ａに連結された樹脂縦枠３０Ｂを有し、押縁５は金属押縁５０Ａに連結された樹脂押縁５０Ｂを有する。よって、樹脂製の樹脂縦枠３０Ｂ及び樹脂押縁５０Ｂにより、断熱性を確保することができる。
【００７９】
また、樹脂押縁５０Ｂは金属押縁５０Ａの屋内側から見付け方向の内側を覆うように配置されている。よって、金属押縁５０Ａの屋内側への露出が抑制されるため、断熱性を高めることができる。
【００８０】
また、樹脂押縁５０Ｂの屋内側は樹脂縦枠３０Ｂに連結されているため、断熱性をさらに高めることができる。
【００８１】
また、複層ガラス２は、上端部及び下端部では、弾性材４１及びシーリング材４２を介して、金属上枠１０Ａ及び金属下枠２０Ａのガラス受け部４０に保持されている。また、左右両端部では、弾性材４１及びシーリング材４２を介して、金属縦枠３０Ａに取り付けられた金属押縁５０Ａに保持されている。よって、押縁が樹脂製であったり、押縁が金属製であるものの押縁が取り付けられる枠体が樹脂製であったりする場合よりも、耐火性を向上させることができる。
【００８２】
なお、上述した実施の形態において示した各構成部材の諸形状や組み合わせ等は一例であって、本発明の主旨から逸脱しない範囲において設計要求等に基づき種々変更可能である。
【００８３】
例えば、上記に示す実施形態では、建具の一例としてＦＩＸ窓を例に挙げて説明したが、本発明はこれに限られず、框ドア、縦辷り出し窓等他の建具について適用可能である。框ドア、縦辷り出し窓の場合には、枠体は、複層ガラス等のガラスパネルの端部が嵌め込まれた框に相当する。
【００８４】
また、上記に示す実施形態では、枠体が金属製の金属縦枠等の部材と樹脂製の樹脂縦枠等の部材が連結されたアルミ樹脂複合サッシを例に挙げて説明したが、本発明はこれに限られない。樹脂サッシであってもよく、枠体の少なくとも一部が金属で構成され、当該金属の部分に金属押縁が当接する構成であれば、当該部分に沿って止水ラインが形成される。例えば、枠体におけるガラスパネルの一辺に相当する部分が金属で構成されていてもよく、ガラスパネルの四周に相当する部分が金属で構成されていてもよい。
【００８５】
また、上記に示す実施形態では、ガラスパネルの上下方向の二辺に沿って押縁５が設けられているが、本発明はこれに限られない。ガラスパネルの上下方向の二辺及び上方（または下方）に沿って押縁５が配置（つまり、複層ガラス２の三辺に沿って押縁が配置）されていてもよく、ガラスパネルの四辺に沿って押縁５が配置されていてもよい。
【符号の説明】
【００８６】
１００…ＦＩＸ窓（建具）
１…枠体
２…複層ガラス（ガラスパネル）
５…押縁
１０…上枠
１０Ａ…金属上枠
１０Ｂ…樹脂上枠
２０…下枠
２０Ａ…金属下枠
２０Ｂ…樹脂下枠
３０…縦枠
３０Ａ…金属縦枠（枠部材）
３０Ｂ…樹脂縦枠（樹脂枠材）
４０…ガラス受け部（ガラス保持溝）
４０Ｓ…面クリアランス
４１…弾性材
４２…シーリング材
５０Ａ…金属押縁
５０Ｂ…樹脂押縁
６０…上キャップ
７０…下部弁
８０…弁本体
１１０Ｊ…第二結露水排水孔
２０１Ｈ…第一結露水排水孔
３４０…中間面部（屋内側枠部）
５１０…基部（屋内側保持部）
Ｐ，Ｑ…止水ライン
Ｗ…開口部
【図１】
2017150195.tif 000003
【図２】
2017150195.tif 000004
【図３】
2017150195.tif 000005
【図４】
2017150195.tif 000006
【図５】
2017150195.tif 000007
【図６】
2017150195.tif 000008
【図７】
2017150195.tif 000009
【図８】
2017150195.tif 000010
【図９】
2017150195.tif 000011